(57)【要約】      （修正有）【課題】複数人が一つの便器を共用する場合に各人に適した便座シートを便座上に配置することができる便座シート選択交換装置、及び便座シートを殺菌・清掃した上で供給する便座シート供給装置の提供。【解決手段】便座シート選択交換装置は、複数の便座シートを収容するための収容部１と、前記収容部１内の複数の便座シート１２ａ，１２ｂ，１２ｃのいずれか一つを選択的に前記収容部１から取り出して便器の便座１０の上に移動させるための便座シート移動手段２と、所定の情報に基づいて前記便座シート移動手段を制御するための制御手段６とを備える。また収容部１内には、前記収容部１内の便座シートを殺菌するための殺菌部と、前記収容部内の便座シートの表面を清掃するための清掃部とを設け、所定の情報に基づいて前記便座シート移動手段、前記殺菌部、及び前記清掃部を制御して、便座１０上に便座シートを供給する。【選択図】図２
2007061211.tif 000002
【特許請求の範囲】
【請求項１】
便器の便座の上に配置する便座シートを各ユーザーが選択的に使用できる便座シート選択交換装置であって、
複数の便座シートを収容するための収容部と、
前記収容部内の複数の便座シートのいずれかを選択的に前記収容部から取り出して便器の便座の上に移動させるための便座シート移動手段と、
所定の情報に基づいて前記便座シート移動手段を制御するための制御手段と、
を備えたことを特徴とする便座シート選択交換装置。
【請求項２】
請求項１において、
前記便座シート移動手段は、前記収容部内の複数の便座シートの中からいずれか一つの便座シートを選択的に移動できるように構成されており、さらに、
前記収容部に収容されている各便座シートをそれぞれ各ユーザーの識別情報と対応させて記録しておくための記録手段と、
各ユーザーを識別するための情報を入力するためのユーザー情報取得手段と、
を備え、
前記制御手段は、前記ユーザー情報取得手段からのユーザー識別情報と前記記録手段からの情報とに基づいて、前記便座シート移動手段を制御するものである、ことを特徴とする便座シート選択交換装置。
【請求項３】
請求項１において、
前記ユーザー情報取得手段は、トイレのドアの外側の面に配置されており、さらに、
前記収容部に、前記便座シートの表面を清掃するための清掃部を備えた、ことを特徴とする便座シート選択交換装置。
【請求項４】
請求項１から３までのいずれか一つにおいて、
前記便座シートは、便座の右側の略半分に対応する略三日月形状の右側シートと、便座の左側の略半分に対応する略三日月形状の左側シートとから成るものであり、
前記収容部は、便座の左右にそれぞれ配置され、それぞれが前記各右側シート及び左側シートを収容するものであり、
前記便座シート移動手段は、前記左右の各収容部からそれぞれ前記各右側シート及び左側シートを便座の各右側及び左側の上に移動させるものである、ことを特徴とする便座シート選択交換装置。
【請求項５】
請求項１から４までのいずかれ一つにおいて、前記収容部には、前記各便座シートを殺菌及び／又は消臭するための殺菌及び／又は消臭手段が備えられている、ことを特徴とする便座シート選択交換装置。
【請求項６】
請求項１から５までのいずれか一つにおいて、前記収容部には、前記各便座シートを加温するための加温手段が備えられている、ことを特徴とする便座シート選択交換装置。
【請求項７】
請求項１から６までのいずれか一つにおいて、前記収容部には、前記収容部の高さを便座の高さに対応するように調整するための高さ調整部が備えられている、ことを特徴とする便座シート選択交換装置。
【請求項８】
請求項１から７までのいずれか一つにおいて、前記便座シートは、その表面に多数の凹部又は凸部が形成されている、ことを特徴とする便座シート選択交換装置。
【請求項９】
請求項１から８までのいずれか一つにおいて、前記便座シートは、多数の孔が形成されている、ことを特徴とする便座シート選択交換装置。
【請求項１０】
請求項１から９までのいずれか一つにおいて、前記便座シートは、前記収容部から前記便座に移動する方向と略直交する仮想の線を中心として緩やかに湾曲可能となるように形成されている、ことを特徴とする便座シート選択交換装置。
【請求項１１】
便器の便座の上に配置する便座シートを殺菌・清掃された状態で便座上に供給するための便座シート供給装置であって、
少なくとも一つの「約２ｍｍ以上の厚さを有し且つその表面側が柔軟な素材により形成されている便座シート」を収容するための収容部と、
前記収容部内の便座シートを殺菌するための殺菌部と、
前記収容部内の便座シートの表面を清掃するための清掃部と、
前記収容部内で殺菌・清掃された便座シートを前記収容部から取り出して便座の上に移動させるための便座シート移動手段と、
所定の情報に基づいて前記便座シート移動手段、前記殺菌部、及び前記清掃部を制御するための制御手段と、
を備えたことを特徴とする便座シート供給装置。
【請求項１２】
請求項１から１０までのいずれか一つの便座シート選択交換装置に使用するために前記収容部内に収容可能で且つ前記便座シート移動手段により移動可能に構成された便座シート。
【請求項１３】
請求項１１の便座シート供給装置に使用するために前記収容部内に収容可能で且つ前記便座シート移動手段により移動可能に構成された便座シート。
【発明の詳細な説明】
【技術分野】
【０００１】
本発明は、便器の便座に配置する便座シートを便器の使用毎に選択・交換できる便座シート選択交換装置、及び便座シートを殺菌・清掃した上で供給することができる便座シート供給装置、及びこれらに使用される便座シートに関する。
【背景技術】
【０００２】
従来より、便器の便座の上に便座シートを配置するようにした便器が使用されている。この便座シートとしては、例えば、使用後は便器の中に入れて水で流す使い捨てタイプの紙製シートを自動で又はユーザーが手動で配置するようにしたもの、表面が布製のシートを紐や粘着剤などで便座に固定させるようにしたもの、などが知られている。例えば、特許文献１では、図８の符号Ｐで示すような紙製の使い捨てシートを便座上に自動供給するためのシートペーパー自動供給装置を開示している。
【特許文献１】特許第３０７９６８３号公報
【発明の開示】
【発明が解決しようとする課題】
【０００３】
しかしながら、前記特許文献１に示すような使い捨てタイプの紙製シートを便座に配置する場合は、使い捨てなので衛生的という利点はあるが、極めて薄い紙製であるためプラスチック製の固い便座の感触がそのまま人体に伝わってしまい使い心地が悪い、使い捨てなので資源の無駄遣いになり環境保護の理念に反する、などの問題がある。
【０００４】
他方、表面が布製のシートを紐や粘着剤などで便座に固定させる場合は、便座シートがある程度の厚さと柔らかさを持っているため使い心地は良いが、家族など複数人が一つの便座シートを共用することになるため、衛生面での問題や、他人の使用した後の便座シートは使用したくないという人に不快感を与えてしまうという問題がある。
【０００５】
本発明はこのような従来技術の問題点に着目してなされたものであって、特に家族など複数人が一つの便器を共用する場合においても各人が便器を使用する度に各人に適した便座シートを便座上に配置することができる便座シート選択交換装置を提供することを目的とする。また、本発明は、ユーザーが一人暮らしの場合などにおいて便器の使用時に一つの便座シートを殺菌・清掃された上で供給することができる便座シート供給装置を提供することを目的とする。また、本発明はこれらに使用される便座シートを提供することを目的とする。
【課題を解決するための手段】
【０００６】
以上のような課題を解決するための本発明による便座シート選択交換装置は、便器の便座の上に配置する便座シートを各ユーザーが選択的に使用できる便座シート選択交換装置であって、複数の便座シートを収容するための収容部と、前記収容部内の複数の便座シートのいずれか一つを選択的に前記収容部から取り出して便器の便座の上に移動させるための便座シート移動手段と、所定の情報に基づいて前記便座シート移動手段を制御するための制御手段と、を備えたことを特徴とするである。
【０００７】
また、本発明による便座シート選択交換装置においては、前記便座シート移動手段は、前記収容部内の複数の便座シートの中からいずれか一つの便座シートを選択的に移動できるように構成されており、さらに、前記収容部に収容されている各便座シートをそれぞれ各ユーザーの識別情報と対応させて記録しておくための記録手段と、各ユーザーを識別するための情報を入力するためのユーザー情報取得手段と、を備え、前記制御手段は、前記ユーザー情報取得手段からのユーザー識別情報と前記記録手段からの情報とに基づいて、前記便座シート移動手段を制御するものである、ことが望ましい。また、特に、前記ユーザー情報取得手段は、トイレのドアの外側の面に配置されていることが望ましい。
【０００８】
また、本発明による便座シート選択交換装置においては、前記便座シートは、便座の右側の略半分に対応する平面略三日月形状の右側シートと、便座の左側の略半分に対応する平面略三日月形状の左側シートとから成るものであり、前記収容部は、便座の左右にそれぞれ配置され、それぞれが前記各右側シート及び左側シートを収容するものであり、前記便座シート移動手段は、前記左右の各収容部からそれぞれ前記各右側シート及び左側シートを便座の各右側及び左側の上に移動させるものである、ことが望ましい。
【０００９】
また、本発明による便座シート選択交換装置においては、前記収容部には、前記各便座シートを殺菌及び／又は消臭するための殺菌及び／又は消臭手段が備えられている、ことが望ましい。
【００１０】
また、本発明による便座シート選択交換装置においては、前記収容部には、前記各便座シートを加温するための加温手段が備えられている、ことが望ましい。
【００１１】
また、本発明による便座シート選択交換装置においては、前記収容部には、前記収容部の高さを便座の高さに対応するように調整するための高さ調整部が備えられている、ことが望ましい。
【００１２】
また、本発明による便座シート選択交換装置においては、前記便座シートは、その表面に多数の凹凸が形成されている、ことが望ましい。
【００１３】
また、本発明による便座シート選択交換装置においては、前記便座シートは、多数の孔が形成されている、ことが望ましい。
【００１４】
また、本発明による便座シート選択交換装置においては、前記便座シートは、前記収容部から前記便座に移動する方向と略直交する仮想の線を中心として緩やかに湾曲可能となるように形成されている、ことが望ましい。
【００１５】
さらに、本発明による便座シート供給装置は、便器の便座の上に配置する便座シートを殺菌・清掃された状態で便座上に供給するための便座シート供給装置であって、少なくとも一つの「約２ｍｍ以上の厚さを有し且つその表面側が柔軟な素材により形成されている便座シート」を収容するための収容部と、前記収容部内の便座シートを殺菌するための殺菌部と、前記収容部内の便座シートの表面を清掃するための清掃部と、前記収容部内で殺菌・清掃された便座シートを前記収容部から取り出して便座の上に移動させるための便座シート移動手段と、所定の情報に基づいて前記便座シート移動手段、前記殺菌部、及び前記清掃部を制御するための制御手段と、を備えたことを特徴とするものである。
また、本発明による便座シートは、前記の便座シート選択交換装置に使用するために前記収容部内に収容可能で且つ前記便座シート移動手段により移動可能に構成された便座シートである。また、本発明による便座シートは、前記の便座シート供給装置に使用するために前記収容部内に収容可能で且つ前記便座シート移動手段により移動可能に構成された便座シートである。
【発明の効果】
【００１６】
本発明の便座シート選択交換装置においては、前述のように収容部内に複数の便座シートを用意しておき、前記制御手段及び便座シート移動手段により、前記複数の便座シートの中のいずれかを選択的に便座の上に移動させるようにしている。よって、例えば、各ユーザーは、便器を使用する度に、各ユーザーに対応する（各ユーザーに適した）便座シートを使用することができる。よって、本発明によれば、従来のように一つの便座シートを複数人が使用する場合における衛生上の問題や他人が使用した後の便座シートを使用するときの嫌悪感の問題を回避することができる。
【００１７】
また、本発明の便座シート選択交換装置において、前記各便座シートを便座の左右の略半分にそれぞれ対応する右側シートと左側シートとにより構成し、左右の各収容部にそれぞれ収容しておき、ユーザーが便器を使用するとき、前記の右側シート及び左側シートを便座の左右半分にそれぞれ移動させるように構成したときは、略楕円形状の便座の上に便座シートを確実に移動・配置することができる。
【００１８】
また、本発明の便座シート選択交換装置において、例えばトイレのドアの外側などの適当な位置に、各ユーザーを特定・識別する情報を入力するためのユーザー情報取得手段を備え、このユーザー情報取得手段からの情報に基づいて、前記便座シート移動手段を制御して、そのユーザーに対応する便座シートを便座の上に移動させるように構成したときは、例えば各ユーザーがトイレのドアの外側に立つだけで（又は、例えばトイレのドアの外側に立って所定の動作・操作を行うだけで）、前記制御手段及び前記便座シート移動手段により、そのユーザーに対応する便座シートが選択的に便座の上に移動するので、各ユーザーがトイレの中に入ったときは、既にそのユーザーに対応する便座シートが便座の上に移動している状態となり、使い勝手が大幅に向上する。
【００１９】
また、本発明の便座シート選択交換装置において、前記収容部内に、前記各便座シートを殺菌及び／又は消臭するための殺菌及び／又は消臭手段を備えるように構成したときは、各便座シートは殺菌及び／又は消臭された状態で収容部から便座に移動されるので、ユーザーにとってトイレ使用時の衛生面や快適性がより向上するようになる。
【００２０】
また、本発明の便座シート選択交換装置において、前記収容部に、前記各便座シートを加温するための加温手段を備えるように構成したときは、冬季において、各便座シートは予め加温された状態で収容部から便座に移動されるので、ユーザーにとってトイレ使用時の快適性がより向上するようになる。
【００２１】
また、本発明の便座シート選択交換装置において、前記収容部に、前記収容部の高さを便器の便座の高さに対応するように調整するための高さ調整部を備えるように構成したときは、前記便座シートが前記収容部から排出されるときの高さ位置を便座の高さに合わせて調整できるので、前記便座シートの便座への移動をより正確・確実に行えるようになる。
【００２２】
また、本発明の便座シート選択交換装置において、前記便座シートの表面に多数の凹部又は凸部を形成するように構成したときは、便座シートと接触しているユーザーの身体部分の皮膚から出る汗の発散・蒸発などを促すことができ、肌のベタつきによる不快感を防止してユーザーの使用時の快適性を向上させることができる。
【００２３】
また、本発明の便座シート選択交換装置において、前記便座シートに多数の孔を形成するように構成したときは、便座シートと接触しているユーザーの身体部分の皮膚から出る汗の発散・蒸発などを促すことができ、肌のベタつきによる不快感を防止してユーザーの使用時の快適性を向上させることができる。
【００２４】
また、本発明の便座シート選択交換装置において、前記便座シートを、前記収容部から前記便座に移動する方向と略直交する仮想の線を中心として緩やかに湾曲可能となるように構成したときは、前記便座シートの前記収容部の排出口からの排出の動作や前記便座上への移動の動作が、より滑らかに、より確実に行えるようになる。
【００２５】
さらに、本発明の便座シート供給装置においては、前記収容部内に収容されている便座シートを前記殺菌部により殺菌すると共に、前記清掃部により清掃するようにしているので、ユーザーが便器を使用するときは、何時でも、殺菌され清掃された清潔さを有し、且つある程度の厚み（例えば約２ｍｍ以上の厚み）と柔軟さ（例えば表面がシリコンゴム製など）を有する便座シートを使用できるようになるので、トイレ使用時における衛生面の問題を解消することができ、ユーザーの快適性を大幅に向上させることができる。
【発明を実施するための最良の形態】
【００２６】
本発明を実施するための最良の形態は以下の実施例１について述べるような形態である。
【実施例１】
【００２７】
図１は、本発明の実施例１による家庭用の便座シート選択交換装置を、主として電気的な構成の面から説明するための概念ブロック図である。図１において、１は複数の便座シートを収容しておくための収容部、２は前記収容部１内の複数の便座シートのいずれか一つを選択的に取り出し収容部外に排出して便座上に移動するための便座シート移動部、である。この便座シート移動部２は、詳しくは後述するが、モーターとこのモーターからの動力を前記複数の便座シートの中のどれを移動するために使用するかを選択するためのスイッチとにより構成される。
【００２８】
また、図１において、３は前記収容部１に内蔵され前記複数の便座シートを殺菌及び／又は消臭するための殺菌消臭部、４は前記収容部１に内蔵され冬季に（ユーザーの操作により）前記複数の便座シートを例えば３５−３８℃程度に加温するためのヒーター、５は前記収容部１の脚部に備えられ前記収容部１の高さ（前記収容部１の便座シートの排出口の高さ）を各便器の高さに合わせて調整するための高さ調整部、である。
【００２９】
また、図１において、６は前記便座シート移動部２、前記殺菌消臭部３、前記ヒーター４、及び前記高さ調整部５を制御するためのマイクロコンピュータなどで構成された制御部、７は前記制御部６にユーザーからの操作情報を入力するための例えばリモートコントローラなどから成る操作部、である。また、８は、トイレのドアの外側の面などに設置され、トイレを使用しようとする各ユーザーを識別するための識別情報を取得して前記制御部６に送信するためのユーザー情報取得部、である。
また、図１において、前記制御部６は、記録装置（メモリ）を内蔵しており、この記録装置には、前記収容部１に収容されている各便座シート（例えば計５個）をそれぞれ各ユーザー（例えば５人）の識別情報、及び各便座シートの前記収容部１内の収容位置情報と対応させて記録しておくようにしている。また、前記便座シート移動部２は、前記収容部１内の複数の便座シートの中からいずれか一つの便座シートを選択的に移動できるように構成されている。例えば、前記便座シート移動部２は、各便座シートの収容部１内の収容位置を記憶しておき、前記制御部６の信号（各便座シートの収容位置の情報を含む）に基づいて、いずれか一つの便座シートを選択的に取り出して便座の上に移動できるように構成されている。以上より、前記制御部６は、前記ユーザー情報入力部８からのユーザー識別情報を受信すると、内蔵する前記記録装置（メモリ）からその識別情報に対応するユーザーに対応する一つの便座シートの収容位置の情報を取得して、「この収容位置にある便座シートを取り出して便座の上に移動せよ」との制御信号を、前記便座シート移動部２に送信する。前記便座シート移動部２はこの制御信号に基づいて、前記のユーザーに対応する特定の便座シートを取り出して、それを便座の上に移動させる。
なお、便座の上に便座カバーがあるタイプの便器の場合は、前記制御部６は、前記ユーザー情報入力部８からのユーザー識別情報を受信したとき、予め設定された情報に基づいて、まず便座カバーを上昇させて便座を露出させ、その後に前記便座シート移動部２を作動させて便座シートを便座の上に移動させる。
【００３０】
次に、図２及び図３は本実施例１において前記収容部１及び前記便座シート移動部２の構成及び動作を説明するための概略図である。図２−３において、図１と共通する部分には同一の符号を付している。図２−３において、９は便器、１０は前記便器９の上端部に配置される便座、１１は前記収容部１を下方から支える脚部、である。前記脚部１１の途中部分には、例えばジャッキなどから構成される高さ調整部５が介設されている。
【００３１】
また、図２−３において、１２ａ−１２ｅはそれぞれ便座１０の上に移動可能なように前記収容部１内に配置された便座シート、１３ａ−１３ｅはそれぞれ前記各便座シート１２ａ−１２ｅの図示下端部に固定され前記各便座シート１２ａ−１２ｅを収容部１内と便座との間で移動させるための例えば略棒状の可動部である。この可動部１３ａ−１３ｅは、図１の便座シート移動部２の一部を構成するものである。
【００３２】
すなわち、ユーザーがこれから便器を使用するときは、前記の各可動部１３ａ−１３ｅは、前記便座シート移動部２を構成するモーター（図示せず）からの動力を受けて、前記の収容部１内の各便座シート１２ａ−１２ｅを予め設定された所定距離だけ図示上方に押し出して、前記収容部１の排出口１ａから排出し、便座１０上に移動させる。
【００３３】
図３はこのようにして一個の便座シート１２ａを前記収容部１の排出口１ａから便座１０の上に移動させようとしている場合の動作を示す図である。なお、図３において、１３ａ１は、前記便座シート１２ａと前記可動部１３ａとを接続・固定するための固定部である。また、図３においては、前記収容部１の脚部（図２の符号１１参照）や便器９の蓋部（図４の符号９ａ参照）などは図示を省略している。
【００３４】
他方、ユーザーが便器の使用を終了したときは、前記の各可動部１３ａ−１３ｅは、前記便座シート移動部２を構成するモーター（図示せず）からの動力を受けて、前記の便座上に在る各便座シート１２ａ−１２ｅを、予め設定された所定距離だけ図示下方に引っ張って、便座１０上から前記収容部１内の収容位置（図２に示す位置）まで移動させる。
【００３５】
これらの各動作を行うとき、前記スイッチは、前記制御部６からの制御信号に基づいて、各ユーザーに対応する各可動部１３ａ−１３ｅに、前記モーターの動力を選択的に接続する。このスイッチによる切り換え接続により、前記モーターからの駆動力は、各ユーザーに対応する各便座シート１２ａ−１２ｅに接続された可動部１３ａ−１３ｅに伝達される。
【００３６】
なお、図２においては、前記可動部１３ａ−１３ｅは直線状に形成されているように図示しているが、本実施例１では、収容部１のサイズを小型化するために前記可動部１３ａ−１３ｅを例えばＳ字状などの曲線状に形成するようにしてもよい。
【００３７】
また、図２−３において、１４ａ−１４ｆは、前記各便座シート１２ａ−１２ｅが前記可動部１３ａ−１３ｅにより押し上げられるか又は引っ張られて移動するとき、前記各便座シート１２ａ−１２ｅの移動をガイドするための例えば薄板状の案内部である。前記各案内部１４ａ−１４ｆにより、前記可動部１３ａ−１３ｅによる前記便座シート１２ａ−１２ｅの移動が滑らかに行われるようになる。すなわち、前記便座シート１２ａは、前記案内部１４ａの下表面と前記案内部１４ｂの上表面及び前記案内部１４ｂ−１４ｆの上端部との間の隙間を通って、図２に示す収容位置と便座１０との間を往復移動する。また、前記便座シート１２ｂは、前記案内部１４ｂ及び１４ａの下表面と前記案内部１４ｃの上表面及び前記案内部１４ｃ−１４ｆの上端部との間の隙間を通って、図２に示す収容位置と便座１０との間を往復移動する。また、前記便座シート１２ｃは、前記案内部１４ｃ及び１４ａの下表面と前記案内部１４ｄの上表面及び前記案内部１４ｄ−１４ｆの上端部との間の隙間を通って、図２に示す収容位置と便座１０との間を往復移動する。また、前記便座シート１２ｄは、前記案内部１４ｄ及び１４ａの下表面と前記案内部１４ｅの上表面及び前記案内部の１４ｅ−１４ｆの上端部との間の隙間を通って、図２に示す収容位置と便座１０との間を往復移動する。また、前記便座シート１２ｅは、前記案内部１４ｅの下表面と前記案内部１４ｆの上表面との間の隙間を通って、図２に示す収容位置と便座１０との間を往復移動する。
【００３８】
また、図２において、３１ａは前記案内部１４ａの下面の前記排出口１ａ近傍に配置された清掃ローラ、３１ｂは前記案内部１４ｆの上面の前記排出口１ａ近傍に配置された清掃ローラである。これらの清掃ローラ３１ａ，３１ｂは互いに対向して配置され、それらの表面には多数の微小なブラシが植設されている。よって、前記便座シート１２ａ−１２ｅが前記排出口１ａ近傍を通過するとき、前記便座シート１２ａ−１２ｅの表面は、これらの清掃ローラ３１ａ，３１ｂによって異物が除去されて、清掃され清潔になる。なお、図２においては、前記便座シート１２ａ−１２ｅの清掃手段として前記の多数のブラシが植設された清掃ローラ３１ａ，３１ｂのみを図示しているが、本実施例１では、前記の多数のブラシが植設された清掃ローラ３１ａ，３１ｂの横に、例えばフェルト布などの摩擦係数の大きい布を貼着した清掃ローラを並列させるようにしてもよい。このようにした場合は、前記便座シート１２ａ−１２ｅの表面の微小な異物がより確実に除去されるようになる。
【００３９】
なお、図２−３では、便座１０の図示左側に備えられた収容部１及び便座シート移動部２により、便座１０の図示左側の略半分に対応する略三日月形状（図３参照）の便座シート１２ａ−１２ｅを選択的に収容位置から押し出して便座１０の図示左側半分の上に移動させる動作を示しているが、本実施例１では、実際には、便座１０の図示右側にも同様の収容部や便座シート移動部が備えられている。図４はこのことを概念的に示すための図で、本実施例１では、便座１０の左右にそれぞれ収容部１が配置されている。そして、これらの左右の収容部１には、それぞれ便座１０の左右の略半分の形状に対応する略三日月形状の便座シートが収容されている。また、前記左右の収容部１にはそれぞれ便座シート移動部２が内蔵されている。前記左右の各収容部１にそれぞれ内蔵された各便座シート移動部２は、前記制御部６からの信号に基づいて、それぞれ、当該のユーザーに対応する例えば便座シート１２ａ，１２ａ’を選択的に取り出して、便座１０の上に左右方向から略同時に移動させる。これにより、便座１０の略全体に前記便座シート１２ａ，１２ａ’が配置される。
【００４０】
次に、本実施例１においては、図２−３には図示していないが、前記収容部１内に、前記収容部１内に収容されている複数の便座シート１２ａ−１２ｅを殺菌（消毒）及び／又は消臭するための殺菌消臭部３（図１参照）が前記各便座シート１２ａ−１２ｅの近傍に配置されている。この殺菌消臭部３は、例えば、殺菌機能を有する紫外線を発する紫外線ランプや紫外線ＬＥＤ（発光ダイオード）、オゾン吹き付け装置（オゾン脱臭装置）、匂い粒子の吸着機能を有する木炭、その他の公知の消臭剤・殺菌剤などにより構成される。
【００４１】
また、本実施例１においては、図２−３には図示していないが、前記収容部１内に、前記収容部１内に収容されている複数の便座シート１２ａ−１２ｅを冬季に加温するためのヒーター４（図１参照）が前記各便座シート１２ａ−１２ｅの近傍に配置されている。このヒーター４は、冬季などに予めユーザーが設定しておくことにより、前記制御部６からの信号により作動する。
【００４２】
また、本実施例１においては、ユーザー情報取得部８がトイレのドアの外側に配置されている。このユーザー情報取得部８は、例えば、５人家族の場合には、前記の計５個の便座シート１２ａ−１２ｅにそれぞれ対応する各メンバー（ユーザー）が自分を特定できるボタンを備えた入力装置により構成される。各ユーザーが、トイレのドアを開ける前に、前記入力装置の自分を特定するボタンを押すと、この入力装置からの信号が前記制御部６に無線で送信される。これを受信した前記制御部６は、該当ユーザーに対応する便座シートを便座１０方向に押し出すように、前記便座シート移動部２を制御する。よって、この場合は、ユーザーがドアの外で前記ボタンを押すだけで、自動的に前記便座シート移動部２が作動するので、ユーザーがトイレの中に入ったときは既に便座１０の上に自分専用の便座シートが配置された状態となる。
【００４３】
なお、本実施例１においては、前記ユーザー情報取得部８は、前述のようなボタン式のものに限らず、様々な方式のものを採用できる。例えば、予めユーザーの顔画像、指紋情報、声紋情報などの様々な生体情報を記録した記憶装置とＣＣＤカメラやマイクを備えておき、ユーザーがトイレのドアの前に立つときユーザーの顔画像、指紋情報、声紋情報などの様々な生体情報を認識してそれを記録装置に登録した生体情報と照合してユーザーを特定し、これにより特定したユーザーの識別情報を前記制御部６に無線で送信するようにしてもよい。
【００４４】
また、図５（ａ）は本実施例１の便座シート１２ａの平面を示す図である。本実施例１では、前記便座シート１２ａは、例えばプラスチック製かシリコンゴム製の素材により形成されている。特に前記便座シート１２ａを柔軟なシリコンゴム製の素材により形成するときは、ユーザーの臀部が接触するとき柔らかい感触が得られるので、取り扱いが容易であるだけでなく使い勝手も優れる。
【００４５】
また、図５（ｂ）は図５（ａ）の便座シート１２ａをＡ−Ａ’線で切断した状態を拡大して示すＡ−Ａ’線断面図である。図５（ｂ）に示すように、本実施例１では、前記便座シート１２ａの表面には、多数の凹部（窪み）２１が形成されている。この多数の凹部２１により、ユーザーの臀部の皮膚と便座シート１２ａとの間に多数の微小な隙間が生じるので、ユーザーの臀部の皮膚のベタツキなどが防止されてユーザーの快適性が向上する。
【００４６】
次に、図６及び図７は本実施例１の便座シートの変形例を示すものである。図６に示す変形例による便座シート２２においては、（図５で示した多数の凹部２１の代わりに）多数の孔２３が形成されている。図６（ｂ）は、図６（ａ）の便座シート２２をＢ−Ｂ’線で切断した状態を拡大して示すＢ−Ｂ’線断面図である。図６（ｂ）に示すように、このような多数の孔２３を前記便座シート２２に形成した場合も、図５の例と同様に、ユーザーの臀部の皮膚の多数箇所に多数の孔２３が接するようになるので、ユーザーの臀部の皮膚のベタツキなどが防止されてユーザーの快適性が向上するようになる。
【００４７】
また、図７は、他の変形例による便座シート２４を示している。この便座シート２４は、互いに略水平方向に並列配置される複数の板２４ａ−２４ｆと、これらの板２４ａ−２４ｆの互いに隣接するもの同士を所定角度まで折り曲げ可能に接続する軸２５ａ−２５ｅとから構成されている。また、前記軸２５ａ−２５ｅは、前記便座シート２４が前記収容部１から便座１０に移動する方向（図７（ａ）の矢印Ｃで示す方向）と略直交する方向（図７（ａ）の矢印Ｄで示す方向）に配置されている。したがって、この図７の変形例では、前記便座シート２４が全体として、前記便座シート２４が前記収容部１から便座１０に移動する方向（図７の矢印Ｃで示す方向）に沿って、緩やかに湾曲可能となっている。図７（ｂ）は、この便座シート２４を図７（ａ）の前記矢印Ｃ方向と平行なＣ−Ｃ’線で切断した状態を拡大して示すＣ−Ｃ’線断面図、図７（ｃ）はこの便座シート２４が前記矢印Ｃ方向に沿って少し湾曲された様子を示す断面図である。図７（ｃ）に示すように、この変形例による便座シート２４を使用するときは、前記便座シート２４を前記収容部１から便座１０に移動するとき、この移動方向に沿って前記便座シート２４が全体として緩やかに湾曲可能なので、前記移動が滑らかに行われるようになる。
【実施例２】
【００４８】
次に、本発明の実施例２による便座シート供給装置を図８を参照して説明する。本実施例２の基本的構成は前記の実施例１と同様なので、以下では、前記実施例１と異なる部分を中心に図８を参照しながら説明する。
【００４９】
本実施例２は、例えば一人暮らしのユーザーが各便器使用時に何時も清掃・殺菌された清潔な便座シートを使用できるようにした便座シート供給装置である。そのための構造として、図８に示すように、少なくとも一つの便座シート１２ａを収容する収容部１と、前記便座シート１２ａを収容位置（図８に示す位置）から排出口１ａを介して便座１０の上に移動させるための便座シート移動部２（モータ及び可動部１３ａなどにより構成される）と、この便座シート移動部２を操作部７（リモコン）からの設定情報に基づいて制御するための制御部６（マイクロコンピュータなどにより構成される）などが備えられている。
【００５０】
また、本実施例２においては、前記便座シート１２ａは、ある程度の厚み（例えば約２ｍｍ以上の厚み）を有し、その表面は例えばシリコンゴムなどの柔軟な素材で形成されている。また、前記収容部１には、前記実施例１と同様に、前記便座シート１２ａの移動をガイドするための案内部１４ａ，１４ｆ、前記便座シート１２ａの表面を清掃するための清掃ローラ３１ａ，３１ｂ、前記便座シート１２ａを殺菌・消臭するための殺菌消臭部３（図１参照）、前記便座シート１２ａを冬季に加温するためのヒーター４（図１参照）などが備えられている。
【００５１】
以上より、本実施例２においては、ユーザーが便器を使用するときは、何時でも、殺菌され清掃された清潔な便座シート１２ａでしかもある程度の厚みと柔軟さを有する便座シートを使用できるようになるので、トイレ使用時における衛生面の問題を解消することができ、ユーザーの快適性を向上させることができる。また、本実施例２は、一人暮らしのユーザーのためだけでなく、複数の家族のユーザーのために使用しても、前記の作用効果を奏することができる。
【００５２】
以上、本発明の各実施例について説明したが、本発明及び本発明を構成する各構成要件は、それぞれ、前記の実施例及び前記の実施例を構成する各要素として述べたものに限定されるものではなく、様々な修正及び変更が可能である。例えば、前記実施例１，２では、各ユーザー毎の便座シート（図２の符号１２ａ−１２ｅ参照）として、便座１０の左右の半分の形状にそれぞれ対応する２つの略三日月形状の便座シートを用意して、それらを左右から略同時に便座１０の上に移動するようにしているが、本発明においては、各ユーザー毎の便座シートとして、便座１０の全体の形状に対応する一つの便座シートを用意して、この一つの便座シートを便座１０の上に移動するようにしてもよい。
【００５３】
また、前記の実施例１，２においては、前記便座シート１２ａ−１２ｅの清掃手段として、図２，図８に示すような清掃ローラ３１ａ，３１ｂを開示しているが、本発明では、さらに、例えば「清掃（洗濯）用の薬剤の収容器と、この収容器から前記薬剤を吹き付ける吹き付け部と、この薬剤を吹き付けた便座シート１２ａ−１２ｅの表面を擦る（こする）ためのローラと、このローラで擦った後に前記便座シート１２ａ−１２ｅを乾燥させる乾燥部と、から成る清掃（洗濯）部」を備えるようにしてもよい。
また、本発明においては、前記便座シート１２ａ−１２ｅは、例えば「プラスチック製やシリコンゴム製で形成された便座シートの外表面にタオル地などの布を巻いたもの」、により構成するようにしてもよい。
また、本発明においては、前記各便座シート１２ａ−１２ｅは古くなったり汚れた場合などは新しいものと交換することができる。
【図面の簡単な説明】
【００５４】
【図１】本発明の実施例１による便座シート選択交換装置の電気的構成を示す概念ブロック図。
【図２】本実施例１における収容部と便座シート移動部の構成を説明するための図。
【図３】本実施例１による便座シート移動部の動作を説明するための図。
【図４】本実施例１において便座シートが便座に移動する様子を概念的に示す図。
【図５】本実施例１における便座シートの構成を説明するための図。
【図６】本発明における便座シートの変形例を示す図。
【図７】本発明における便座シートの他の変形例を示す図。
【図８】本発明の実施例２における収容部と便座シート移動部の構成を説明するための図。
【図９】従来の便座への使い捨て紙シートの自動供給装置を示す図。
【符号の説明】
【００５５】
１          収容部
１ａ      排出口
２          便座シート移動部
３          殺菌消臭部
４          ヒーター
５          高さ調整部
６          制御部
７          操作部（リモコン）
８          ユーザー情報取得部
９          便器
１０      便座
１１      脚部
１２ａ−１２ｅ，２２，２４     便座シート
１３ａ  可動部
１４ａ−１４ｆ 案内部
２１      凹部
２３      孔
２４ａ  板
２５ａ  軸
３１ａ，３１ｂ 清掃ローラ
【図１】
2007061211.tif 000003
【図２】
2007061211.tif 000004
【図３】
2007061211.tif 000005
【図４】
2007061211.tif 000006
【図５】
2007061211.tif 000007
【図６】
2007061211.tif 000008
【図７】
2007061211.tif 000009
【図８】
2007061211.tif 000010
【図９】
2007061211.tif 000011
【手続補正書】
【提出日】平成17年8月30日(2005.8.30)
【手続補正１】
【補正対象書類名】特許請求の範囲
【補正対象項目名】請求項２
【補正方法】変更
【補正の内容】
【請求項２】
請求項１において、さらに、
前記収容部内における前記各便座シートの収容位置を各ユーザーの識別情報とそれぞれ対応させて記録しておくための記録手段と、
各ユーザーを識別するための情報を入力するためのユーザー情報取得手段と、
を備え、
前記制御手段は、前記ユーザー情報取得手段からのユーザー識別情報と前記記録手段からの便座シートの収容位置情報とに基づいて、前記便座シート移動手段を制御するものであり、
前記便座シート移動手段は、前記制御手段からの情報に基づいて、前記収容部内の複数の便座シートの中からいずれか一つの便座シートを選択的に移動するものである、ことを特徴とする便座シート選択交換装置。
【手続補正２】
【補正対象書類名】特許請求の範囲
【補正対象項目名】請求項３
【補正方法】変更
【補正の内容】
【請求項３】
請求項１又は２において、
前記収容部に、前記便座シートの表面を清掃するための清掃部を備えた、ことを特徴とする便座シート選択交換装置。
【手続補正３】
【補正対象書類名】図面
【補正対象項目名】全図
【補正方法】変更
【補正の内容】
【図１】
2007061211.tif 000012
【図２】
2007061211.tif 000013
【図３】
2007061211.tif 000014
【図４】
2007061211.tif 000015
【図５】
2007061211.tif 000016
【図６】
2007061211.tif 000017
【図７】
2007061211.tif 000018
【図８】
2007061211.tif 000019
【図９】
2007061211.tif 000020
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
便器の便座の上に配置する便座シートを各ユーザーが選択的に使用できる便座シート選択交換装置であって、
複数の便座シートを収容するための収容部と、
前記収容部内の複数の便座シートのいずれかを選択的に前記収容部から取り出して便器の便座の上に移動させるための便座シート移動手段と、
所定の情報に基づいて前記便座シート移動手段を制御するための制御手段と、
を備えたことを特徴とする便座シート選択交換装置。
【請求項２】
請求項１において、さらに、
前記収容部内における前記各便座シートの収容位置を各ユーザーの識別情報とそれぞれ対応させて記録しておくための記録手段と、
各ユーザーを識別するための情報を入力するためのユーザー情報取得手段と、
を備え、
前記制御手段は、前記ユーザー情報取得手段からのユーザー識別情報と前記記録手段からの便座シートの収容位置情報とに基づいて、前記便座シート移動手段を制御するものであり、
前記便座シート移動手段は、前記制御手段からの情報に基づいて、前記収容部内の複数の便座シートの中からいずれか一つの便座シートを選択的に移動するものである、ことを特徴とする便座シート選択交換装置。
【請求項３】
請求項１又は２において、
前記収容部内に、前記便座シートの表面を清掃するための清掃部を備えた、ことを特徴とする便座シート選択交換装置。
【請求項４】
請求項１から３までのいずれか一つにおいて、
前記便座シートは、便座の右側の略半分に対応する略三日月形状の右側シートと、便座の左側の略半分に対応する略三日月形状の左側シートとから成るものであり、
前記収容部は、便座の左右にそれぞれ配置され、それぞれが前記各右側シート及び左側シートを収容するものであり、
前記便座シート移動手段は、前記左右の各収容部からそれぞれ前記各右側シート及び左側シートを便座の各右側及び左側の上に移動させるものである、ことを特徴とする便座シート選択交換装置。
【請求項５】
請求項１から４までのいずかれ一つにおいて、前記収容部内には、前記各便座シートを殺菌及び／又は消臭するための殺菌及び／又は消臭手段が備えられている、ことを特徴とする便座シート選択交換装置。
【請求項６】
請求項１から５までのいずれか一つにおいて、前記収容部には、前記各便座シートを加温するための加温手段が備えられている、ことを特徴とする便座シート選択交換装置。
【請求項７】
請求項１から６までのいずれか一つにおいて、前記収容部には、前記収容部の高さを便座の高さに対応するように調整するための高さ調整部が備えられている、ことを特徴とする便座シート選択交換装置。
【請求項８】
請求項１から７までのいずれか一つにおいて、前記便座シートは、その表面に多数の凹部又は凸部が形成されている、ことを特徴とする便座シート選択交換装置。
【請求項９】
請求項１から８までのいずれか一つにおいて、前記便座シートは、多数の孔が形成されている、ことを特徴とする便座シート選択交換装置。
【請求項１０】
請求項１から９までのいずれか一つにおいて、前記便座シートは、前記収容部から前記便座に移動する方向と略直交する仮想の線を中心として緩やかに湾曲可能となるように形成されている、ことを特徴とする便座シート選択交換装置。
【請求項１１】
便器の便座の上に配置する便座シートを殺菌された状態で便座上に供給するための便座シート供給装置であって、
少なくとも一つの「約２ｍｍ以上の厚さを有し且つその表面側が柔軟な素材により形成されている便座シート」を収容するための収容部と、
前記収容部内に備えられ、前記収容部内の便座シートを殺菌するための殺菌部と、
前記収容部内で前記殺菌部により殺菌された便座シートを前記収容部から取り出して便座の上に移動させるための便座シート移動手段と、
所定の情報に基づいて前記便座シート移動手段、及び前記殺菌部を制御するための制御手段と、
を備えたことを特徴とする便座シート供給装置。
【請求項１２】
請求項１１において、
前記収容部内に、前記便座シートの表面を清掃するための清掃部を備え、
前記制御手段は、所定の情報に基づいて前記清掃部をも制御するものである、ことを特徴とする便座シート選択交換装置。
【請求項１３】
請求項１１又は１２において、前記収容部内には、前記収容部内の便座シートを加温するための加温手段が備えられている、ことを特徴とする便座シート選択交換装置。
【請求項１４】
請求項１から１０までのいずれか一つの便座シート選択交換装置に使用するために前記収容部内に収容可能で且つ前記便座シート移動手段により移動可能に構成された便座シート。
【請求項１５】
請求項１１，１２又は１３の便座シート供給装置に使用するために前記収容部内に収容可能で且つ前記便座シート移動手段により移動可能に構成された便座シート。
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
便器の便座の上に配置する便座シートを各ユーザーが選択的に使用できる便座シート選択交換装置であって、
複数の便座シートを収容するための収容部と、
前記便座上の便座シートをユーザーによる使用後に前記便座上から前記収容部内に移動させると共に、「前記収容部内に収容されている複数の便座シートであって前記便座上から前記収容部内に移動された便座シートを含む複数の便座シート」のいずれかを選択的に前記収容部から取り出して前記便座上に移動させるための便座シート移動手段と、
所定の情報に基づいて前記便座シート移動手段を制御するための制御手段と、
を備えたことを特徴とする便座シート選択交換装置。
【請求項２】
請求項１において、さらに、
前記収容部内における前記各便座シートの収容位置を各ユーザーの識別情報とそれぞれ対応させて記録しておくための記録手段と、
各ユーザーを識別するための情報を入力するためのユーザー情報取得手段と、
を備え、
前記制御手段は、前記ユーザー情報取得手段からのユーザー識別情報と前記記録手段からの便座シートの収容位置情報とに基づいて、前記便座シート移動手段を制御するものであり、
前記便座シート移動手段は、前記制御手段からの情報に基づいて、前記収容部内の複数の便座シートの中からいずれか一つの便座シートを選択的に移動するものである、ことを特徴とする便座シート選択交換装置。
【請求項３】
請求項１又は２において、前記収容部内に、前記便座シート移動手段により前記便座上から前記収容部内に移動された便座シートの表面を清掃するための清掃部を備えた、ことを特徴とする便座シート選択交換装置。
【請求項４】
請求項１から３までのいずかれ一つにおいて、前記収容部内には、前記便座シート移動手段により前記便座上から前記収容部内に移動された便座シートを殺菌及び／又は消臭するための殺菌及び／又は消臭手段が備えられている、ことを特徴とする便座シート選択交換装置。
【請求項５】
請求項１から４までのいずれか一つにおいて、前記収容部には、前記各便座シートを加温するための加温手段が備えられている、ことを特徴とする便座シート選択交換装置。
【請求項６】
請求項１から５までのいずれか一つにおいて、
前記便座シートは、便座の右側の略半分に対応する略三日月形状の右側シートと、便座の左側の略半分に対応する略三日月形状の左側シートとから成るものであり、
前記収容部は、便座の左右にそれぞれ配置され、それぞれが前記各右側シート及び左側シートを収容するものであり、
前記便座シート移動手段は、前記左右の各収容部からそれぞれ前記各右側シート及び左側シートを便座の各右側及び左側の上に移動させるものである、ことを特徴とする便座シート選択交換装置。
【請求項７】
請求項１から６までのいずれか一つにおいて、前記収容部には、前記収容部の高さを便座の高さに対応するように調整するための高さ調整部が備えられている、ことを特徴とする便座シート選択交換装置。
【請求項８】
請求項１から７までのいずれか一つにおいて、前記便座シートは、その表面に多数の凹部又は凸部が形成されている、ことを特徴とする便座シート選択交換装置。
【請求項９】
請求項１から８までのいずれか一つにおいて、前記便座シートは、多数の孔が形成されている、ことを特徴とする便座シート選択交換装置。
【請求項１０】
請求項１から９までのいずれか一つにおいて、前記便座シートは、前記収容部から前記便座に移動する方向と略直交する仮想の線を中心として緩やかに湾曲可能となるように形成されている、ことを特徴とする便座シート選択交換装置。
【請求項１１】
便器の便座の上に配置する便座シートをユーザーが衛生的に使用できるように殺菌された状態で便座上に供給するための便座シート供給装置であって、
少なくとも一つの「約２ｍｍ以上の厚さを有し且つその表面側がプラスチックやゴムなどの柔軟な素材により形成されている便座シート」を、内部に収容するための収容部と、
前記収容部内に備えられ、前記収容部内に収容されている便座シートを殺菌するための殺菌部と、
前記便座上の便座シートをユーザーによる使用後に前記便座上から前記収容部内に移動させると共に、前記便座上から前記収容部内に移動されて前記殺菌部により殺菌された便座シートを前記収容部から取り出して前記便座上に移動させるための便座シート移動手段と、
所定の情報に基づいて前記便座シート移動手段を制御するための制御手段と、
を備えたことを特徴とする便座シート供給装置。
【請求項１２】
請求項１１において、
前記収容部内に配置され、前記便座シート移動手段により前記便座上から前記収容部内に移動された便座シートの表面を清掃するための清掃部を備え、
前記制御手段は、所定の情報に基づいて前記清掃部をも制御するものである、ことを特徴とする便座シート選択交換装置。
【請求項１３】
請求項１１又は１２において、前記収容部内には、前記収容部内の便座シートを加温するための加温手段が備えられている、ことを特徴とする便座シート選択交換装置。
【請求項１４】
請求項１から１０までのいずれか一つの便座シート選択交換装置に使用するために前記収容部内に収容可能で且つ前記便座シート移動手段により移動可能に構成された便座シート。
【請求項１５】
請求項１１，１２又は１３の便座シート供給装置に使用するために前記収容部内に収容可能で且つ前記便座シート移動手段により移動可能に構成された便座シート。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
便器の便座の上に配置する便座シートをユーザーが衛生的に使用できるように殺菌された状態で便座上に供給するための便座シート供給装置であって、
少なくとも一つの「約２ｍｍ以上の厚さを有し且つその表面側がプラスチックやゴムなどの柔軟な素材により形成されている便座シート」を、内部に収容するための収容部と、
前記収容部内に備えられ、前記収容部内に収容されている便座シートを殺菌するための殺菌部と、
ユーザーによる便座の使用が終了したときは、「使用済みの便座シート」を前記便座上から前記収容部内に移動させて、前記便座上を「便座シートが存在している状態」から「便座シートが存在していない状態」にすると共に、ユーザーによる便座の使用が開始されるときは、前記収容部内に収容されており前記殺菌部により殺菌されている前記「使用済みの便座シート」を、前記収容部内から前記便座上に移動させて、前記便座上を「便座シートが存在していない状態」から「便座シートが存在している状態」にするための便座シート移動手段と、
ユーザーによる便座の使用が開始されるとき、前記便座シート移動手段を制御して、前記収容部内に収容されており前記殺菌部により殺菌されている前記「使用済みの便座シート」を、前記収容部内から前記便座上に移動させるための便座シート移動制御手段と、
を備えたことを特徴とする便座シート供給装置。
【請求項２】
請求項１において、
前記収容部内に配置され、前記便座シート移動手段により前記便座上から前記収容部内に移動された「使用済みの便座シート」の表面を、その表面の異物を除去する方法により、清掃するための清掃部と、
所定の情報に基づいて前記清掃部を制御するための清掃制御手段と、
を備えたことを特徴とする便座シート供給装置。
【請求項３】
請求項１又は２において、
前記収容部内には、前記収容部内の便座シートを加温するための加温手段が備えられている、ことを特徴とする便座シート供給装置。
【請求項４】
請求項１から３までのいずれか一つにおいて、
前記便座シートは、便座の右側の略半分に対応する略三日月形状の右側シートと、便座の左側の略半分に対応する略三日月形状の左側シートとから成るものであり、
前記収容部は、便座の左右にそれぞれ配置され、それぞれが前記各右側シート及び左側シートを収容するものであり、
前記便座シート移動手段は、前記左右の各収容部からそれぞれ前記各右側シート及び左側シートを便座の各右側及び左側の上に移動させるものである、ことを特徴とする便座シート供給装置。
【請求項５】
請求項１から４までのいずれか一つにおいて、
前記収容部には、前記収容部の高さを便座の高さに対応するように調整するための高さ調整部が備えられている、ことを特徴とする便座シート供給装置。
【請求項６】
請求項１から５までのいずれかの便座シート供給装置に使用するために前記収容部内に収容可能で且つ前記便座シート移動手段により移動可能に構成された便座シート。
【請求項７】
便器の便座の上に配置する便座シートを各ユーザーが選択的に使用できる便座シート選択交換装置であって、
複数の便座シートを収容するための収容部と、
ユーザーによる前記便座の使用が終了したときは、前記便座シートを前記便座上から前記収容部内に移動させて、前記便座上を「便座シートが存在している状態」から「便座シートが存在していない状態」にすると共に、ユーザーによる前記便座の使用が開始されるときは、「前記収容部内に収容されている複数の便座シートであって前記便座上から前記収容部内に移動された便座シートを含む複数の便座シート」のいずれかを選択的に前記収容部内から前記便座上に移動させて、前記便座上を「便座シートが存在していない状態」から「便座シートが存在している状態」にするための便座シート移動手段と、
所定の情報に基づいて前記便座シート移動手段を制御するための制御手段と、
を備えたことを特徴とする便座シート選択交換装置。
【請求項８】
請求項７において、
前記収容部内における前記各便座シートの収容位置を各ユーザーの識別情報とそれぞれ対応させて記録しておくための記録手段と、
各ユーザーを識別するための情報を入力するためのユーザー情報取得手段と、
を備え、
前記制御手段は、前記ユーザー情報取得手段からのユーザー識別情報と前記記録手段からの便座シートの収容位置情報とに基づいて、前記便座シート移動手段を制御するものであり、
前記便座シート移動手段は、前記制御手段からの情報に基づいて、前記収容部内の複数の便座シートの中からいずれか一つの便座シートを選択的に移動するものである、ことを特徴とする便座シート選択交換装置。
【請求項９】
請求項７又は８において、
前記収容部内に、前記便座シート移動手段により前記便座上から前記収容部内に移動された便座シートの表面を清掃するための清掃部を備えた、ことを特徴とする便座シート選択交換装置。
【請求項１０】
請求項７から９までのいずかれ一つにおいて、
前記収容部内には、前記便座シート移動手段により前記便座上から前記収容部内に移動された便座シートを殺菌及び／又は消臭するための殺菌及び／又は消臭手段が備えられている、ことを特徴とする便座シート選択交換装置。
【請求項１１】
請求項７から１０までのいずかれ一つにおいて、
前記収容部内には、前記収容部内の便座シートを加温するための加温手段が備えられている、ことを特徴とする便座シート選択交換装置。
【請求項１２】
請求項７から１１までのいずれか一つの便座シート選択交換装置に使用するために前記収容部内に収容可能で且つ前記便座シート移動手段により移動可能に構成された便座シート。
【請求項１３】
請求項６又は１２において、
その表面に多数の凹部又は凸部が形成されている、ことを特徴とする便座シート。
【請求項１４】
請求項６又は１２において、
多数の孔が形成されている、ことを特徴とする便座シート。
【請求項１５】
請求項６又は１２において、
前記収容部から前記便座に移動する方向と略直交する仮想の線を中心として緩やかに湾曲可能となるように形成されている、ことを特徴とする便座シート。
【手続補正２】
【補正対象書類名】明細書
【補正対象項目名】０００６
【補正方法】変更
【補正の内容】
【０００６】
上記の目的を達成するための本発明による便座シート供給装置は、便器の便座の上に配置する便座シートをユーザーが衛生的に使用できるように殺菌された状態で便座上に供給するための便座シート供給装置であって、少なくとも一つの「約２ｍｍ以上の厚さを有し且つその表面側がプラスチックやゴムなどの柔軟な素材により形成されている便座シート」を、内部に収容するための収容部と、前記収容部内に備えられ、前記収容部内に収容されている便座シートを殺菌するための殺菌部と、ユーザーによる便座の使用が終了したときは、「使用済みの便座シート」を前記便座上から前記収容部内に移動させて、前記便座上を「便座シートが存在している状態」から「便座シートが存在していない状態」にすると共に、ユーザーによる便座の使用が開始されるときは、前記収容部内に収容されており前記殺菌部により殺菌されている前記「使用済みの便座シート」を、前記収容部内から前記便座上に移動させて、前記便座上を「便座シートが存在していない状態」から「便座シートが存在している状態」にするための便座シート移動手段と、ユーザーによる便座の使用が開始されるとき、前記便座シート移動手段を制御して、前記収容部内に収容されており前記殺菌部により殺菌されている前記「使用済みの便座シート」を、前記収容部内から前記便座上に移動させるための便座シート移動制御手段と、を備えたことを特徴とするものである。
【手続補正３】
【補正対象書類名】明細書
【補正対象項目名】０００７
【補正方法】変更
【補正の内容】
【０００７】
上記の目的を達成するための本発明による便座シート選択交換装置は、便器の便座の上に配置する便座シートを各ユーザーが選択的に使用できる便座シート選択交換装置であって、複数の便座シートを収容するための収容部と、ユーザーによる前記便座の使用が終了したときは、前記便座シートを前記便座上から前記収容部内に移動させて、前記便座上を「便座シートが存在している状態」から「便座シートが存在していない状態」にすると共に、ユーザーによる前記便座の使用が開始されるときは、「前記収容部内に収容されている複数の便座シートであって前記便座上から前記収容部内に移動された便座シートを含む複数の便座シート」のいずれかを選択的に前記収容部内から前記便座上に移動させて、前記便座上を「便座シートが存在していない状態」から「便座シートが存在している状態」にするための便座シート移動手段と、所定の情報に基づいて前記便座シート移動手段を制御するための制御手段と、を備えたことを特徴とするものである。
【手続補正４】
【補正対象書類名】明細書
【補正対象項目名】０００８
【補正方法】変更
【補正の内容】
【０００８】
また、本発明においては、前記収容部内に配置され、前記便座シート移動手段により前記便座上から前記収容部内に移動された「使用済みの便座シート」の表面を、その表面の異物を除去するなどの方法により、清掃するための清掃部と、所定の情報に基づいて前記清掃部を制御するための清掃制御手段と、を備えたことが望ましい。
また、本発明においては、前記収容部内には、前記収容部内の便座シートを加温するための加温手段が備えられている、ことが望ましい。
【手続補正５】
【補正対象書類名】明細書
【補正対象項目名】０００９
【補正方法】変更
【補正の内容】
【０００９】
また、本発明においては、前記便座シートは、便座の右側の略半分に対応する略三日月形状の右側シートと、便座の左側の略半分に対応する略三日月形状の左側シートとから成るものであり、前記収容部は、便座の左右にそれぞれ配置され、それぞれが前記各右側シート及び左側シートを収容するものであり、前記便座シート移動手段は、前記左右の各収容部からそれぞれ前記各右側シート及び左側シートを便座の各右側及び左側の上に移動させるものである、ことが望ましい。
【手続補正６】
【補正対象書類名】明細書
【補正対象項目名】００１０
【補正方法】変更
【補正の内容】
【００１０】
また、本発明においては、前記収容部には、前記収容部の高さを便座の高さに対応するように調整するための高さ調整部が備えられている、ことが望ましい。
【手続補正７】
【補正対象書類名】明細書
【補正対象項目名】００１１
【補正方法】変更
【補正の内容】
【００１１】
また、本発明による便座シートは、便座シート供給装置に使用するために前記収容部内に収容可能で且つ前記便座シート移動手段により移動可能に構成されたものである。
【手続補正８】
【補正対象書類名】明細書
【補正対象項目名】００１２
【補正方法】変更
【補正の内容】
【００１２】
また、本発明による便座シート選択交換装置においては、前記収容部内における前記各便座シートの収容位置を各ユーザーの識別情報とそれぞれ対応させて記録しておくための記録手段と、各ユーザーを識別するための情報を入力するためのユーザー情報取得手段と、を備え、前記制御手段は、前記ユーザー情報取得手段からのユーザー識別情報と前記記録手段からの便座シートの収容位置情報とに基づいて、前記便座シート移動手段を制御するものであり、前記便座シート移動手段は、前記制御手段からの情報に基づいて、前記収容部内の複数の便座シートの中からいずれか一つの便座シートを選択的に移動するものである、ことが望ましい。
【手続補正９】
【補正対象書類名】明細書
【補正対象項目名】００１３
【補正方法】変更
【補正の内容】
【００１３】
また、本発明による便座シート選択交換装置においては、前記収容部内に、前記便座シート移動手段により前記便座上から前記収容部内に移動された便座シートの表面を清掃するための清掃部を備えた、ことが望ましい。
また、本発明による便座シート選択交換装置においては、前記収容部内には、前記便座シート移動手段により前記便座上から前記収容部内に移動された便座シートを殺菌及び／又は消臭するための殺菌及び／又は消臭手段が備えられている、ことが望ましい。
また、本発明による便座シート選択交換装置においては、前記収容部内には、前記収容部内の便座シートを加温するための加温手段が備えられている、ことが望ましい。
【手続補正１０】
【補正対象書類名】明細書
【補正対象項目名】００１４
【補正方法】変更
【補正の内容】
【００１４】
また、本発明による便座シートは、前記便座シート選択交換装置に使用するために前記収容部内に収容可能で且つ前記便座シート移動手段により移動可能に構成されたものである。
【手続補正１１】
【補正対象書類名】明細書
【補正対象項目名】００１５
【補正方法】変更
【補正の内容】
【００１５】
また、本発明による便座シートは、その表面に多数の凹部又は凸部が形成されているものであることが望ましい。
また、本発明による便座シートは、多数の孔が形成されていることが望ましい。
また、本発明による便座シートは、前記収容部から前記便座に移動する方向と略直交する仮想の線を中心として緩やかに湾曲可能となるように形成されていることが望ましい。
【手続補正１２】
【補正対象書類名】明細書
【補正対象項目名】００１６
【補正方法】変更
【補正の内容】
【００１６】
本発明の便座シート供給装置においては、前記収容部内に収容されている便座シートを前記殺菌部により殺菌するようにしているので、ユーザーが便器を使用するときは、何時でも、殺菌された清潔さを有し、且つある程度の厚み（例えば約２ｍｍ以上の厚み）と柔軟さ（例えば表面がシリコンゴム製など）を有する便座シートを使用できるようになるので、トイレ使用時における衛生面の問題を解消することができ、ユーザーの快適性を大幅に向上させることができる。
【手続補正１３】
【補正対象書類名】明細書
【補正対象項目名】００１７
【補正方法】変更
【補正の内容】
【００１７】
また、本発明の便座シート選択交換装置においては、前記収容部内に複数の便座シートを用意しておき、前記制御手段及び便座シート移動手段により、前記複数の便座シートの中のいずれかを選択的に便座の上に移動させるようにしている。よって、例えば、各ユーザーは、便器を使用する度に、各ユーザーに対応する（各ユーザーに適した）便座シートを使用することができる。よって、本発明によれば、従来のように一つの便座シートを複数人が使用する場合における衛生上の問題や他人が使用した後の便座シートを使用するときの嫌悪感の問題を回避することができる。
【手続補正１４】
【補正対象書類名】明細書
【補正対象項目名】００１８
【補正方法】変更
【補正の内容】
【００１８】
また、本発明において、前記各便座シートを便座の左右の略半分にそれぞれ対応する右側シートと左側シートとにより構成し、左右の各収容部にそれぞれ収容しておき、ユーザーが便器を使用するとき、前記の右側シート及び左側シートを便座の左右半分にそれぞれ移動させるように構成したときは、略楕円形状の便座の上に便座シートを確実に移動・配置することができる。
【手続補正１５】
【補正対象書類名】明細書
【補正対象項目名】００１９
【補正方法】変更
【補正の内容】
【００１９】
また、本発明において、例えばトイレのドアの外側などの適当な位置に、各ユーザーを特定・識別する情報を入力するためのユーザー情報取得手段を備え、このユーザー情報取得手段からの情報に基づいて、前記便座シート移動手段を制御して、そのユーザーに対応する便座シートを便座の上に移動させるように構成したときは、例えば各ユーザーがトイレのドアの外側に立つだけで（又は、例えばトイレのドアの外側に立って所定の動作・操作を行うだけで）、前記制御手段及び前記便座シート移動手段により、そのユーザーに対応する便座シートが選択的に便座の上に移動するので、各ユーザーがトイレの中に入ったときは、既にそのユーザーに対応する便座シートが便座の上に移動している状態となり、使い勝手が大幅に向上する。
【手続補正１６】
【補正対象書類名】明細書
【補正対象項目名】００２０
【補正方法】変更
【補正の内容】
【００２０】
また、本発明において、前記収容部内に、前記各便座シートを殺菌及び／又は消臭するための殺菌及び／又は消臭手段を備えるように構成したときは、各便座シートは殺菌及び／又は消臭された状態で収容部から便座に移動されるので、ユーザーにとってトイレ使用時の衛生面や快適性がより向上するようになる。
【手続補正１７】
【補正対象書類名】明細書
【補正対象項目名】００２１
【補正方法】変更
【補正の内容】
【００２１】
また、本発明において、前記収容部に、前記各便座シートを加温するための加温手段を備えるように構成したときは、冬季において、各便座シートは予め加温された状態で収容部から便座に移動されるので、ユーザーにとってトイレ使用時の快適性がより向上するようになる。
【手続補正１８】
【補正対象書類名】明細書
【補正対象項目名】００２２
【補正方法】変更
【補正の内容】
【００２２】
また、本発明において、前記収容部に、前記収容部の高さを便器の便座の高さに対応するように調整するための高さ調整部を備えるように構成したときは、前記便座シートが前記収容部から排出されるときの高さ位置を便座の高さに合わせて調整できるので、前記便座シートの便座への移動をより正確・確実に行えるようになる。
【手続補正１９】
【補正対象書類名】明細書
【補正対象項目名】００２３
【補正方法】変更
【補正の内容】
【００２３】
また、本発明において、前記便座シートの表面に多数の凹部又は凸部を形成するように構成したときは、便座シートと接触しているユーザーの身体部分の皮膚から出る汗の発散・蒸発などを促すことができ、肌のベタつきによる不快感を防止してユーザーの使用時の快適性を向上させることができる。
【手続補正２０】
【補正対象書類名】明細書
【補正対象項目名】００２４
【補正方法】変更
【補正の内容】
【００２４】
また、本発明において、前記便座シートに多数の孔を形成するように構成したときは、便座シートと接触しているユーザーの身体部分の皮膚から出る汗の発散・蒸発などを促すことができ、肌のベタつきによる不快感を防止してユーザーの使用時の快適性を向上させることができる。
【手続補正２１】
【補正対象書類名】明細書
【補正対象項目名】００２５
【補正方法】変更
【補正の内容】
【００２５】
また、本発明において、前記便座シートを、前記収容部から前記便座に移動する方向と略直交する仮想の線を中心として緩やかに湾曲可能となるように構成したときは、前記便座シートの前記収容部の排出口からの排出の動作や前記便座上への移動の動作が、より滑らかに、より確実に行えるようになる。